(57)【特許請求の範囲】
【請求項１】
人工地盤本体の一部を水没させて生ずる浮力を人工地盤本体の荷重支持に用いる構造の人工地盤において、同人工地盤本体の底面に、同人工地盤本体の荷重を支持する橋脚の上部を囲繞し水面との間で加圧室を画成するカーテンを設けたことを特徴とする人工地盤。
【請求項２】
人工地盤本体の一部を水没させて生ずる浮力を人工地盤本体の荷重支持に用いる構造の人工地盤において、前記人工地盤本体を、同人工地盤本体の長さ方向の中央部を支持する橋脚と、両岸側に設けた補助人工地盤本体の浮力により支持する構造としたことを特徴とする人工地盤。
【請求項３】
人工地盤本体の一部を水没させて生ずる浮力を人工地盤本体の荷重支持に用いる構造の人工地盤において、前記人工地盤本体を、同人工地盤本体の長さ方向の中央部を支持する橋脚と、一方の護岸側に設けた支持及び他方の護岸側に設けた補助人工地盤本体の浮力とにより支持する構造としたことを特徴とする人工地盤。
【請求項４】
請求項２又は３に記載の人工地盤において、前記人工地盤本体の底面に同人工地盤本体の荷重を支持する橋脚の上部を囲繞し水面との間で加圧室を画成するカーテンを設けたことを特徴とする人工地盤。
【請求項５】
人工地盤本体の一部を水没させて生ずる浮力を人工地盤本体の荷重支持に用いる構造の人工地盤において、前記人工地盤本体の一部を水没させて生ずる浮力に加え、水路の両岸に設けた支承により前記人工地盤本体の荷重を支持する構造とし、
前記人工地盤本体の底面にカーテンを設け同底面と水面との間に加圧室を構成し、潮位の変動に応じて前記加圧室内の圧力を制御することを特徴とする人工地盤。
【請求項６】
請求項５に記載の人工地盤において、前記人工地盤本体の底面に設けた前記カーテンの断面形状が略三角形であることを特徴とする人工地盤。
【発明の詳細な説明】
【０００１】
【発明の属する技術分野】
本発明は、人工地盤本体の一部を水没させて生ずる浮力を人工地盤本体の荷重支持に用いる構造の人工地盤に関する。
【０００２】
【従来の技術】
近年、沿岸や水路等にビル等の建築物を建造するための人工地盤として、浮力を利用した人工地盤が提案されている。
人工地盤本体の一部を水没させて生ずる浮力をその荷重支持に用いるように構成した従来の人工地盤の一例を図８に示してある。
図８に示す人工地盤は、その人工地盤本体（以後プラットフォームとする）１の平面図（図８の（ａ））におけるＡ−Ａ断面方向に２列、Ｂ−Ｂ断面方向に４列の計８個の橋脚５と、そのプラットフォーム１の一部を水没させることによって生ずる浮力で荷重を支えるように構成されている。
【０００３】
図８において、３は支承、６はフーチング、８は水路、９は満潮時（潮位ＨＷＬ）のプラットフォームの水没部、１６は橋脚５を支える地盤改良部である。
プラットフォーム１は、図９に示されているように、支承３を介して橋脚５によって支持され、支承３は防水膜４によって海水から保護されるように構成されている。
【０００４】
プラットフォーム１は一部を常に水没させており、その水没部９の浮力によってプラットフォーム１の重量の大半が相殺され、残部を支承３を介して橋脚５で支持されるようになっている。満潮時（ＨＷＬ）、干潮時（ＬＷＬ）の潮位変化により水没部９の高さも変化し、それに伴う浮力の変動はポンプによりプラットフォーム１内に注排水して制御される。
【０００５】
図９に示すように、プラットフォーム１を支える支承３を水没させないためプラットフォーム１には凹部１０を設け、同凹部１０の中で橋脚５の頂部に支承３を載せ、支承３を防水膜４で保護し、更に満潮時（ＨＷＬ）でも支承３が海水に触れないよう、また水没しないように防水膜４で保護するとともに、凹部１０に加圧室１２を設け、この加圧室１２が潮位の上昇により加圧されるようにして凹部１０内の水位を下げる構造としている。
７は、プラットフォーム１上に設けられた建築物を示している。
このように、プラットフォーム１の一部を水没させることによって生ずる浮力でプラットフォーム１の荷重の一部を支えるようにした構造とすることによって、プラットフォーム１の接地圧は浮力によって小さくなり、そのため橋脚５が小さく出来、基礎の地盤に打込む大きな杭が不要となる等の利点を持っている。
【０００６】
しかしながら、この人工地盤は、図９に示したように支承３の部分の構造が複雑なため施工が難しく、かつ、凹部１０を設けたためプラットフォーム１の剛性が低下する。
また、防水対策が施されているとはいえ、支承３は常に海水に曝されるため、支承３（鋼製ローラ）の腐食、材質（ゴム製）の劣化等の問題、支承部のメンテナンスも構造上困難、更に、潮位の変動による浮力の変動を相殺するため注排水用のポンプが必要等の問題がある。
【０００７】
【発明が解決しようとする課題】
人工地盤本体の一部を水没させて生ずる浮力を人工地盤本体の荷重支持に用いるようにした従来の人工地盤が、前記したように支承を介して橋脚に人工地盤本体を支持することによって種々の問題が生じていることに鑑み、本発明は、支承を介して人工地盤本体を橋脚に支持することにより生ずる問題を解消した人工地盤を提供することを課題としている。
また、本発明は、前記した問題点の解消と共に、潮位の変動による浮力の変動を相殺するためのポンプによる注排水制御を不要とした人工地盤を提供することを課題としている。
【０００８】
【課題を解決するための手段】
前記課題を解決するため、本発明は、人工地盤本体の一部を水没させて生ずる浮力を人工地盤本体の荷重支持に用いる構造の人工地盤において、同人工地盤本体の底面に、その人工地盤本体の荷重を支持する橋脚の上部を囲繞し水面との間で加圧室を画成するカーテンを設けた構造を採用する。
【０００９】
以上のように構成した本発明の人工地盤においては、人工地盤本体を橋脚に支持するための支承部を海水から保護するための加圧室を、人工地盤本体に凹部を設けることなく形成することができるので、人工地盤本体の構造が簡単になるとともに、剛性を損うことがない。
また、本発明による人工地盤では、加圧室を形成するためのカーテンを人工地盤本体の形状の如何に関わらず設けることができるばかりでなく、その加圧室を必要な大きさに設けることができ、その加圧室内で支承の施工やメンテナンスを容易に行なうことができる。
【００１０】
また、本発明は、前記した課題を解決するため、人工地盤本体の一部を水没させて生ずる浮力を人工地盤本体の荷重支持に用いる構造の人工地盤において、前記人工地盤本体を、その人工地盤本体の長さ方向の中央部を支持する橋脚と、両岸側又はいずれか一方の岸側に設けた補助人工地盤本体の浮力により支持する構造とした人工地盤を提供する。
【００１１】
本発明のこの人工地盤においては、橋脚による人工地盤本体の支持は、人工地盤本体の長さ方向の中央部だけで行なわれ、橋脚の数が減少される。従って、この構造によれば、橋脚を構築する工事や、支承を介して橋脚に支持する部分の工事量を減らすことができる。
また、人工地盤本体を、その長さ方向の中央部だけで橋脚によって支持することで人工地盤本体に生じる曲げモーメントは、人工地盤本体の両岸側又はいずれか一方の岸側に設けた補助地盤本体の浮力で支持する構造によって相殺される。
【００１２】
本発明のこの人工地盤において、人工地盤本体の底面に、その人工地盤本体の荷重を支持する橋脚の上部を囲繞し水面との間で加圧室を画成するカーテンを設けた構造を採用すると、人工地盤本体に凹部を形成することなく、所要の大きさの加圧室を設けることができて好ましい。
【００１３】
また、本発明は、前記課題を解決するために、人工地盤本体の一部を水没させて生ずる浮力を人工地盤本体の荷重支持に用いる構造の人工地盤において、人工地盤本体の一部を水没させて生ずる浮力に加え、水路の両岸に設けた支承により人工地盤本体の荷重を支持する構造とした人工地盤を提供する。
【００１４】
本発明のこの人工地盤においては、人工地盤本体の荷重は、人工地盤本体に作用する浮力と、水路の両岸における支承とによって支持され、橋脚を採用しなくてよいので人工地盤本体の構造を簡単なものとすることができる。
また、橋脚による支持を無くすることによって人工地盤本体の剛性を低下させるような構造を採用する必要を無くするばかりでなく、橋脚の構築、支承部の工事やメンテナンスが不要となり、建設費、維持管理費を大幅に削減することができる。
【００１５】
本発明のこの人工地盤において、その人工地盤本体の底面に、人工地盤本体の底面と水面との間にカーテンによって形成された加圧室を設けた構造を採用すると、この加圧室内に一定圧力を負荷して加圧室内の水位を下げて人工地盤本体に対し浮力が働く体積を増加させることができるので、その分だけ人工地盤本体を小さくすることができるものとなる。
【００１６】
また、満潮時は、干潮時に比べて加圧室内の空気が圧縮され、その分だけ加圧室内に水が入って加圧室内の空間が減少して浮力が小さくなる。
一方、人工地盤本体に働く浮力は潮位の上昇によって水没部が増えることによって増加する。
このように加圧室の設置によって、潮位の変動により人工地盤本体に働く浮力の変動を小さくすることができる。或いは、この加圧室内の圧力を潮位の変化によって変化させることにより、人工地盤本体に作用する浮力の変動を抑えることも可能となる。
【００１７】
なお、人工地盤本体の底面に設けるカーテンを断面形状が略三角形のものとすることによって、流体抵抗が減少し、そのため、地震時に発生した海水の波による人工地盤本体の揺れを抑えることができる。
【００１８】
また、人工地盤本体の一部を水没させて生ずる浮力に加え、水路の両岸に設けた支承により人工地盤本体の荷重を支えるようにした本発明の人工地盤において、その人工地盤本体の底部に気密室を設けるとともに、その気密室に、干潮時の潮位の位置に水面を保つよう海水を出入りさせる通水孔を設けた構成を採用すると、注排水設備を設けることなく気密室内の空間の容積が調整されて人工地盤本体に働く浮力を潮位の変化に関わらず一定に保つことができるものとなって好ましい。
【００１９】
【発明の実施の形態】
以下、本発明による人工地盤を図示した実施の形態に基づいて具体的に説明する。なお、以下の図面において、図８、図９に示した従来の人工地盤における部分と同等の部分には同じ符号を示してあり、それらについての重復する説明は省略する。
【００２０】
（第１実施形態）
まず、図１に示した第１実施形態による人工地盤について説明する。
図１において、１１はプラットフォーム（人工地盤本体）１の底面に設けたカーテン、１２は加圧室で、加圧室１２はプラットフォーム１の底面とカーテン１１と水面によって囲まれて形成される。
カーテン１１は、プラットフォーム１に凹部を設けることなく、プラットフォーム１の底面に突出させて支承３と橋脚５の上部を囲繞し水面との間で加圧室１２を画成するように剛性を有する部材で構成し、同加圧室１２内は加圧して水位を下げている。
【００２１】
カーテン１１は、図１（ｂ）の左側に示すように個々の橋脚５に設けてもよいし、右側に示すように複数の橋脚５を含めて囲繞するように設けてもよい。そしてプラットフォーム１の下部は、干潮時でも常に水没させ、水没部９による浮力を得るようにしている。
図１に示した第１実施形態による人工地盤は、カーテン１１によって人工地盤本体１に加圧室１２を形成し、また、支承３のまわりに防水膜を設けていない点を除いて図８、図９に示した人工地盤と実質同じであり、その説明を省略する。
【００２２】
以上の構造をもつ図１の人工地盤において、カーテン１１はプラットフォーム１の形状を考慮することなく設けることができ、また、プラットフォーム１には加圧室１２を形成するための凹部などを設けていないのでプラットフォーム１の形状が簡素になり剛性を損なう事がない。また、カーテン１１の寸法を選定することで支承部を含む加圧室１２を十分大きく構成することができ、その加圧室１２内で支承３の施工、メンテナンスを気中で行うことができる。
【００２３】
（第２実施形態）
次に、図２に示した第２実施形態による人工地盤について説明する。この第２実施形態におけるプラットフォーム（人工地盤本体）１は、水没部の浮力と、プラットフォーム１の長さ方向の中央部に設けた１列の橋脚５によって支持されるように構成されている。２は補助プラットフォーム（補助人工地盤本体）で、その浮力でプラットフォーム１の両端を支える。
【００２４】
プラットフォーム１は橋脚５による支持をその長さ方向の中央部の１個所で支持するように構成しているが、それによって生じるプラットフォーム１の曲げモーメントを両端の補助プラットフォーム２の浮力で相殺する構造としている。各補助プラットフォーム２は下部を水没させ、一方の端を潮位の変動に対して傾動自在に護岸等に取り付けてある。
加圧室１２は、その内部の水面を低下させるために加圧している。
【００２５】
図２に示した第２実施形態による人工地盤は、両岸側に設けた２つの補助プラットフォーム２によってプラットフォーム１の両端を支持するようにしている点と、プラットフォーム１の中央部を橋脚５によって支持している点を除き、その他の点は図１に示された第１実施形態による人工地盤の構造と実質的に同等であり、同等の部分には同じ符号を付してあり、それらについての重複する説明は省略する。
【００２６】
以上の構造を有する第２実施形態による人工地盤では、プラットフォーム１を中央部だけ１列の橋脚５によって支持させた構成としているため、プラットフォーム１には曲げモーメントが働くが、その曲げモーメントは、プラットフォーム１の両端に補助プラットフォーム２を設けてその浮力で相殺している。こうして、本第２実施形態では、プラットフォーム１を支持する橋脚を中央の１個所にでき、橋脚の数を減少させることができるものとしている。
【００２７】
図３は、以上説明した第２実施形態による人工地盤の変形を示すもので、プラットフォーム１の一方の端を護岸等に傾動自在に取り付け、補助プラットフォーム２による支持をプラットフォーム１の他方の端のみとしたもので、プラットフォーム１の略中央部は一列の橋脚５で支持している。
この構造の人工地盤では、護岸等で支持されていないプラットフォーム１の他方の端のモーメントを補助プラットフォーム２を設けて、その浮力で相殺するもので、図２に示したものと同様、橋脚の数を減少させることができる。
【００２８】
（第３実施形態）
次に、図４に示した第３実施形態による人工地盤について説明する。この第３実施形態による人工地盤では、プラットフォーム１の荷重を支持するのに橋脚を使用せず、両岸の支承３とプラットフォーム１の浮力で支持する構造としている。
プラットフォーム１は、水没部９によって発生する浮力で支持されるよう下部を常に水没させるようにしてあり、その浮力と、水路８の両岸における支承３による支持とによって荷重を支持されている。
潮位の変動によるプラットフォーム１に働く浮力の変動は、ポンプ等によりプラットフォーム１内に注排水して制御するようにしてある。
【００２９】
以上のように構成した第３実施形態による人工地盤では、プラットフォーム１の荷重の支持を、プラットフォーム１に働く浮力と、水路８の両岸での支承３による支持とすることにより橋脚５を廃止することができ、プラットフォーム１の形状が簡素化され、また、橋脚によって支持するためにプラットフォーム１の形状を変えることに起因する剛性の低下を招くこともない。また、水没する支承部を持たないため、困難な作業を伴う支承の施工やメンテナンスがなくなり、建設費を大幅に削減することができる。
【００３０】
（第４実施形態）
次に、図５に示した第４実施形態による人工地盤について説明する。この第４実施形態による人工地盤は、橋脚を使用せず両岸の支承３とプラットフォーム１の浮力でプラットフォーム１の荷重を支持する構造としたものである。
図５において、１７はプラットフォーム１の底面に突出させて設けたカーテンで、このカーテン１７によって加圧室１２が画成されている。
【００３１】
カーテン１７は、プラットフォーム１に剛性を損なうような凹部を設けることなく、プラットフォーム１の底面に突出させて水面との間で加圧室１２を画成するように剛性を有する部材で構成し、同加圧室１２は内部の水位を下げるため加圧する。そしてプラットフォーム１の下部は、干潮時でも常に水没され、水没部９による浮力を得るようにしている。
その他の構造は、第３実施形態の人工地盤と実質同じであり、同等の部分には同じ符号を付してあり、それらについての重復する説明は省略する。
【００３２】
以上説明した第４実施形態による人工地盤では、プラットフォーム１の底面に一定容積の加圧室１２を設け、その加圧室１２内に一定圧力を負荷する事により室内の水位が下がって浮力が発生する体積が増加し、その分、プラットフォーム１を小さくすることができる。また、一定圧力を負荷した加圧室１２を設けたことにより、満潮時は干潮時に比較して内部の圧力が高くなるため加圧室内の空気が圧縮されてプラットフォーム１に作用する浮力の増加が小さくなる。このことは、結果的に潮位の変動による浮力の変動を小さくすることになる。
【００３３】
また、潮位の変動に応じて加圧室１２内の圧力を制御することにより浮力の変動を押さえることも可能である。更に、プラットフォーム１の形状が簡素化されたことにより、プラットフォーム１に凹部を設けたりすることに起因する剛性の低下を招くこともなく、また、水没する支承部を持たないため困難な作業を伴う支承３の施工、メンテナンスがなくなる。
【００３４】
図６は、以上説明した第４実施形態による人工地盤の変形を示すもので、プラットフォーム１の底部に断面形状を三角形としたカーテン１８を設けた例である。このようにカーテン１８の断面形状を三角形とすることにより、流体抵抗が減少し、そのため、地震時に発生した海水の波によるプラットフォーム１の揺れを抑えることができる。
なお、カーテンの形は三角形に限定されるものではない。
【００３５】
（第５実施形態）
最後に図７に示す第５実施形態について説明する。この第５実施形態は、第３実施形態による人工地盤と同様に橋脚を使用せず水路の両岸に設けた支承とプラットフォームの浮力で荷重を支持する構造としたものである。
図７において、１３は隔壁で、この隔壁１３によってプラットフォーム１の内部に気密室１４が画成されている。
【００３６】
また、プラットフォーム１には、干潮時の潮位となる位置に当る気密室１４の上の部分に通水孔１５が設けられ、潮位の上下に応じてこの通水孔１５を通して気密室１４の上のプラットフォーム１内に海水が注排水される。
この第５実施形態による人工地盤のその他の構成は、図４に示す第３実施形態による人工地盤と実質同じであり、同等の部分には同じ符号を付してあり、それらについての重復する説明は省略する。
【００３７】
以上説明したように、第５実施形態による人工地盤ではプラットフォーム１の内部に浮力を発生させる一定容積の気密室１４を設けると共に、プラットフォーム１内に海水を導入する通水孔１５を干潮時の潮位の位置に複数個設けてあり、潮位が上昇すると通水孔１５から気密室１４の上部に海水が流入し、潮位が下降すると海水が流出するように構成されている。
【００３８】
以上の構造とすることによって、この人工地盤のプラットフォーム１は潮位の上下に関わらず常に一定の浮力を得ることができ、潮位の変動による浮力の変動を制御する注排水設備が不要となる。
この第５実施形態による人工地盤もまた、プラットフォーム１の形状が簡素になり剛性を損なうこともなく、水没する支承部を持たないため、困難な作業を伴う支承の施工、メンテナンスがなくなるという利点を有している。
【００３９】
以上、本発明を図示した実施形態に基づいて具体的に説明したが、本発明はこれらの実施形態に限定されるものではなく、特許請求の範囲に記載された本発明の範囲内で、その構成、構造に種々の変更を加えてよいことはいうまでもない。
【００４０】
例えば、図５、図６に示す第４実施形態においては、カーテン１７、１８で加圧室１２を画成しているが、形状としてはやや複雑になるが、加圧室１２をプラットフォーム１の底面に凹部として設けても同様の効果が得られる。要は、プラットフォーム１の底面に加圧室を形成させればよい。
【００４１】
【発明の効果】
以上説明したように、本発明は、人工地盤本体の一部を水没させて生ずる浮力を人工地盤本体の荷重支持に用いる構造の人工地盤において、同人工地盤本体の底面に、その人工地盤本体の荷重を支持する橋脚の上部を囲繞し水面との間で加圧室を画成するカーテンを設けた構造の人工地盤を提供する。
【００４２】
本発明の人工地盤においては、支承部を海水から保護するための加圧室を、人工地盤本体に凹部を設けることなくカーテンによって、人工地盤本体の形状の如何に関わらず、必要な大きさに形成することができるので、人工地盤本体の構造が簡単になるとともに、剛性を損うことがない。
【００４３】
また、本発明は、人工地盤本体の一部を水没させて生ずる浮力を人工地盤本体の荷重支持に用いる構造の人工地盤において、前記人工地盤本体を、その人工地盤本体の長さ方向の中央部を支持する橋脚と、両岸側又はいずれか一方の岸側に設けた補助人工地盤本体の浮力により支持する構造とした人工地盤を提供する。
【００４４】
本発明のこの人工地盤においては、橋脚による支持は人工地盤本体の長さ方向の中央部だけで行なわれ、橋脚の数が減少される。従って、この構造によれば、橋脚を構築する工事や、支承を介して橋脚に支持する部分の工事量を減らすことができる。
【００４５】
本発明のこの人工地盤において、人工地盤本体の底面に、その人工地盤本体の荷重を支持する橋脚の上部を囲繞し水面との間で加圧室を画成するカーテンを設けた構造を採用したものでは、人工地盤本体に凹部を形成することなく、所要の大きさの加圧室を設けることができる。
【００４６】
また、本発明は、人工地盤本体の一部を水没させて生ずる浮力を人工地盤本体の荷重支持に用いる構造の人工地盤において、人工地盤本体の一部を水没させて生ずる浮力に加え、水路の両岸に設けた支承により人工地盤本体の荷重を支持する構造とした人工地盤を提供する。
【００４７】
本発明のこの人工地盤においては、人工地盤本体の荷重は、人工地盤本体に作用する浮力と、水路の両岸における支承とによって支持され、橋脚を採用しなくてよいので人工地盤本体の構造を簡単なものとすることができる。
また、橋脚による支持を無くすることによって人工地盤本体の剛性を低下させるような構造を採用する必要を無くするばかりでなく、橋脚の構築、支承部の工事やメンテナンスが不要となり、建設費、維持管理費を大幅に削減することができる。
【００４８】
本発明のこの人工地盤において、その人工地盤本体の底面に、人工地盤本体の底面と水面との間にカーテンによって加圧室を設けた構造を採用したものでは、この加圧室内に一定圧力を負荷して加圧室内の水位を下げて人工地盤本体に対し浮力が働く体積を増加させることができるので、その分だけ人工地盤本体を小さくすることができるものとなる。
この加圧室の設置によって潮位の変動により人工地盤本体に働く浮力の変動を小さくすることができ、また、この加圧室内の圧力を潮位の変化によって変化させることにより、人工地盤本体に作用する浮力の変動を抑えることも可能となる。
【００４９】
また、このカーテンを断面略三角形のものとしたものは、流体抵抗が減少し、そのため、地震時に発生した海水の波による人工地盤本体の揺れを抑えることができる。
【００５０】
また、人工地盤本体の一部を水没させて生ずる浮力に加え、水路の両岸に設けた支承により人工地盤本体の荷重を支えるようにした本発明の人工地盤において、その人工地盤本体の底部に気密室を設けるとともに、その気密室に、干潮時の潮位の位置に水面を保つよう海水を出入りさせる通水孔を設けた構成を採用したものでは、注排水設備を設けることなく気密室内の空間が潮位の変動につれて調整されて人工地盤本体に働く浮力を潮位の変化に関わらず一定に保つことができるものとなる。
【００５１】
以上のとうり、本発明によれば、人工地盤本体を支承によって橋脚に支持させることにより生ずる問題点を解消した人工地盤が提供される。
【図面の簡単な説明】
【図１】本発明の第１実施形態による人工地盤を示す図面で、（ａ）はその断面図、（ｂ）は縮少して示す平面図。
【図２】本発明の第２実施形態による人工地盤を示す図面で、（ａ）は（ｂ）のＡ−Ａ線に沿う断面図、（ｂ）は縮少して示す平面図。
【図３】図２に示した第２実施形態による人工地盤の変形を示す図面で（ａ）は（ｂ）のＡ−Ａ線に沿う断面図、（ｂ）は縮少して示す平面図。
【図４】本発明の第３実施形態による人工地盤を示す断面図。
【図５】本発明の第４実施形態による人工地盤を示す断面図。
【図６】図５に示した第４実施形態による人工地盤の変形を示す断面図。
【図７】本発明の第５実施形態による人工地盤を示す断面図。
【図８】従来の人工地盤を示す図面で、（ａ）は平面図、（ｂ）はやゝ拡大して示す（ａ）図のＡ−Ａ線に沿う縦断面図、（ｃ）はやゝ拡大して示す（ａ）図のＢ−Ｂ線に沿う縦断面図。
【図９】図８の（ｂ）における橋脚部を拡大して示す縦断面図。
【符号の説明】
１    プラットフォーム（人工地盤本体）
２    補助プラットフォーム（補助人工地盤本体）
３    支承
４    防水膜
５    橋脚
６    フーチング
７    建築物
８    水路
９    水没部
１０  凹部
１１  カーテン
１２  加圧室
１３  隔壁
１４  気密室
１５  通水孔
１６  改良地盤
１７  カーテン
１８  カーテン
【図１】
0004472199.tif 000002
【図２】
0004472199.tif 000003
【図３】
0004472199.tif 000004
【図４】
0004472199.tif 000005
【図５】
0004472199.tif 000006
【図６】
0004472199.tif 000007
【図７】
0004472199.tif 000008
【図８】
0004472199.tif 000009
【図９】
0004472199.tif 000010